(57)【特許請求の範囲】
【請求項１】
地中に埋設される貯留浸透槽と、
該貯留浸透槽内の雨水を流入可能な流入口を有し、前記貯留浸透槽に設けられて上下方向に延びる立管と、
該立管の側面に接続される流出管と、
該流出管から前記立管を経て前記貯留浸透槽に向かう雨水の逆流を防止するための逆流防止手段と、を備え、
前記立管の上端部には、前記貯留浸透槽及び逆流防止手段を点検するための点検口が設けられた雨水貯留浸透システム。
【請求項２】
前記点検口に、前記立管内の空気を外部へ排出する空気抜き機構を備えた蓋体が着脱自在に設けられた請求項１記載の雨水貯留浸透システム。
【請求項３】
前記逆流防止手段が、逆流防止弁を備え、前記流出管に着脱自在に接続されるエルボである請求項１又は２記載の雨水貯留浸透システム。
【請求項４】
前記立管の下端部が、前記貯留浸透槽が設置される地面により支持される請求項１〜３の何れかに一つ記載の雨水貯留浸透システム。
【請求項５】
前記流入口は、前記立管の下部側に形成されている請求項１〜４の何れか一つに記載の雨水貯留浸透システム。
【請求項６】
前記貯留浸透槽に雨水を流入させる流入管が接続され、前記立管の流入口の総開口面積が、前記流入管の流路断面積と同一又は大きくなるように設定された請求項１〜５の何れか一つに記載の雨水貯留浸透システム。
【請求項７】
前記エルボが落下防止手段を備えている請求項３記載の雨水貯留浸透システム。
【発明の詳細な説明】
【技術分野】
【０００１】
本発明は、雨水を適切に処理することのできる雨水貯留浸透システムに関するものである。
【背景技術】
【０００２】
従来、この種の雨水貯留浸透システムとしては、例えば次のようなものが存在する。この従来のものは、点検口を有して雨水等を貯留する貯留タンクと、貯留タンクからオーバーフローした余剰水を地下に浸透させる浸透ますと、浸透ますからオーバーフローした余剰水を雨水ますを介して雨水管に排出する排出管と、雨水管から排出管への下水の逆流を防止するための逆流防止弁とを備えている。しかるに、この雨水貯留浸透システムに於いては、逆流防止弁が地中に深く埋設されるために、その保守点検を行うことができないという難点を有していた（特許文献１参照）。
【先行技術文献】
【特許文献】
【０００３】
【特許文献１】特開平９−２６８６０８号公報
【発明の概要】
【発明が解決しようとする課題】
【０００４】
これに対して、本発明者は、図５に示すように、前記貯留タンクを浸透槽１００に変更すると共に、雨水ます１０１に点検口１０２と逆流防止弁１０３とを備えさせ、これを前記排水管１０４の途中に設けるという手段を考案した。しかしながら、浸透槽１００の点検用に設けられる点検口１０５とは別に、雨水ます１０１にも点検口１０２を設けることは、システム構成を複雑化させるという問題がある。また、一連の保守点検作業も煩雑なものとなるために、管理者にかかる負担を増大させる不都合もあった。
【０００５】
それ故に、本発明は、かかる点に鑑みてなされたものであり、その目的とするところは、構成が簡易で、且つ保守点検を容易に行うことのできる雨水貯留浸透システムを提供することにある。
【課題を解決するための手段】
【０００６】
本発明に係る雨水貯留浸透システムは、地中に埋設される貯留浸透槽と、該貯留浸透槽内の雨水を流入可能な流入口を有し、前記貯留浸透槽に設けられて上下方向に延びる立管と、該立管の側面に接続される流出管と、該流出管から前記立管を経て前記貯留浸透槽に向かう雨水の逆流を防止するための逆流防止手段とを備え、前記立管の上端部には、前記貯留浸透槽及び逆流防止手段を点検するための点検口が設けられたものである。
【０００７】
このような雨水貯留浸透システムにあっては、立管の上端部に設けられた点検口により、貯留浸透槽及び逆流防止手段を点検することができる。これにより、貯留浸透槽と逆流防止手段とを点検するための点検口を各別に設ける必要がなくなるために、システム全体の簡略化を図れる。また、保守点検作業を効率的に行えることになる。
【０００８】
また、前記点検口には、立管内の空気を外部へ排出する空気抜き機構を備えた蓋体を着脱自在に設けてもよい。
【０００９】
これによると、点検口は蓋体により閉塞されるために、その安全性が確保されると共に、立管内への異物の落下等を適切に防止することができる。また、空気抜き機構を介して貯留浸透槽及び立管と外部とが連通されているために、水位の上昇時等に発生する貯留浸透槽や立管の圧力上昇が適切に処理されることになる。従って、蓋体が点検口から不用意に離脱するようなこともなくなる。
【００１０】
更に、前記逆流防止手段は、逆流防止弁を備え、前記流出管に着脱自在に接続されるエルボで構成してもよい。
【００１１】
これによれば、エルボを適宜流出管から取外すことにより、その逆流防止弁の保守点検を簡易に且つ確実に行うことができる。また、立管内に配されるエルボを取外すことにより、点検口からの立管及び貯留浸透槽の保守点検が容易に行えることになる。
【００１２】
また、前記立管の下端部は、前記貯留浸透槽が設置される地面で支持するのが好ましい。
【００１３】
これによると、立管を介して作用する重量は全て地面が受けることになるために、貯留浸透槽に陥没が生じたり、損傷を受けるような事態も良好に回避できる。
【００１４】
更に、前記流入口は立管の下部側に形成するのが望ましい。
【００１５】
これによれば、貯留浸透槽内に流入した泥や土砂等の異物が流入口を介して、立管の底部に流動し易くなる。よって、点検口から異物を良好に除去することが可能になる。尚、ここで「立管の下部側」とは、立管の中央位置よりも下側を意味している。流入口が複数形成される場合は、少なくとも１つの流入口が立管の中央位置よりも下側に形成されればよい。但し、流入口は、立管の全長の１／４以下の高さに位置する領域内に設けるのが好ましい。
【００１６】
また、立管の流入口の総開口面積を、前記貯留浸透槽内に接続され雨水を流入させる流入管流路断面積と同一又は大きくなるように設定してもよい。
【００１７】
これによると、流入管から貯留浸透槽に流入した雨水を、立管の流入口を介して無理なく流出管に流出させることが可能になる。また、貯留浸透槽から流入管への雨水の逆流も防止することができる。
【００１８】
更に、前記エルボには落下防止手段を備えさせることが可能である。
【００１９】
これによると、エルボを流出管から取外して行う、貯留浸透槽や立管等の保守点検時に於いて、エルボが不用意に立管内に落下するような事態を適切に防止できる。
【発明の効果】
【００２０】
本発明によれば、構成が簡易で、且つ保守点検を容易に行うことのできる雨水貯留浸透システムを得ることができる。
【図面の簡単な説明】
【００２１】
【図１】本発明の一実施形態を示す雨水貯留浸透システムを示し、（ａ）は正面図で、（ｂ）は平面図である。
【図２】（ａ）〜（ｄ）は立管の正面図である。
【図３】流出管とエルボとの接続状態を示す断面図である。
【図４】（ａ）及び（ｂ）は立管の点検口に蓋体を取付けた状態を示す断面図である。
【図５】雨水貯留浸透システムの一例を示す模式図である。
【発明を実施するための最良の形態】
【００２２】
図１に示すように、本実施形態に係る雨水貯留浸透システム１は全体が地中に埋設される。この雨水貯留浸透システム１は、周囲が透水シート２に覆われた貯留浸透槽３と、雨水を流入させるために貯留浸透槽３の一端側天面に接続される流入管４と、貯留浸透槽３の他端側に上下方向に設けられる立管５と、雨水の一部を外部に流出させるために立管５の側面に接続される流出管６と、流出管６に着脱自在に接続され、立管５の上部側に内装されるエルボ７とを備えている。
【００２３】
貯留浸透槽３は、多数の通孔を有する中空状の貯留材１０が、上下に段積みされると共に、左右に連結されたものである。上部側の貯留材１０上には、上部から作用する荷重を均一化するために、透水性を備えた保護ボード１１が敷設されている。流入管４は、一端部がます２０に接続される直管４ａと、保護ボード１１を介して貯留浸透槽３に接続されるエルボ４ｂとからなっている。ます２０の上流側には排水管２１が接続されており、雨水は排水管２１からます２０に流入する。ます２０の流出口（図示せず）には、雨水に含まれる異物を捕捉するフィルター２２が設けられている。
【００２４】
円筒状の立管５は、上端部に点検口３０を有しており、その下端部は貯留浸透槽３が設置される地面に直接又は透水シート２を介して支持される。このようにすると、立管５を介して作用する重量は全て地面が受けることになるために、貯留浸透槽３に陥没が生じたり、損傷を受けるような事態も良好に回避できる。
【００２５】
立管５は、上下二部材５ａ、５ｂを連結して形成されている。この下部材５ｂの下部側面には、図２（ａ）に示すように、多数の小孔からなる流入口３１が形成されており、その総開口面積は前記流入管４の流路断面積と同一又は大きくなるように設定されている。このように構成すると、流入管４から貯留浸透槽３に流入した雨水を、立管５の流入口３１を介して無理なく流出管６に流出させることが可能になる。また、貯留浸透槽３の雨水は流入管４よりも立管５へ流れ易いので、流入管４への逆流防止を図ることもできる。更に、立管５について、上記のような二部材構成とすることにより、コンパクトな形態で現場へ搬送することできる。また、現場ではその接続作業を行うだけでよく、孔あけ作業は不要であるために、施工上大変利便である。
【００２６】
尚、流入口３１の形状は小孔に限定されるものではなく、同図（ｂ）のように大径の円形状としたり、同図（ｃ）のように半長楕円形状としたり、同図（ｄ）のようにスリット状としても構わない。同図（ｂ）〜（ｄ）に示すように、流入口３１を立管５の下部側に形成すると、貯留浸透槽３内の泥や土砂等の異物が立管５に流入し易くなる。特に、同図（ｃ）のものは、立管５の下端部から流入口３１が形成されているために、異物を立管５内に良好に流入させることができる。これにより、異物の回収率が向上するために、雨水貯留浸透システム１が有する雨水の貯留浸透機能を長期にわたり良好に維持することが可能になる。立管５の点検口３０には、図４に示すように、円筒状の蓋枠３３を介して蓋体３２が着脱自在に取付けられている。蓋体３２は、空気抜き機構３４を備えている。この空気抜き機構３４は、立管５内の圧力に応じて蓋体３２を上下動させるものであり、立管５内の圧力が高圧になると、同図（ｂ）に示すように蓋体３２が上昇して点検口３０が開放される。これによると、点検口３０は蓋体３２により閉塞されるために、その安全性が確保されると共に、立管５内への異物の落下等を適切に防止することができる。また、空気抜き機構３４を介して貯留浸透槽３及び立管５と外部とが連通されるために、水位の上昇時等に発生する貯留浸透槽３や立管５の圧力上昇が適切に防止されることになる。従って、蓋体３２が点検口３０から不用意に離脱するようなこともなくなる。
【００２７】
流出管６は、図３に示すような継手４０を備えている。継手４０は、一端部が立管５の側面に形成された取付孔５ｃに挿着される円筒状の継手本体４０ａと、継手本体４０ａが挿通される中間リング４０ｂ及び固定リング４０ｃとからなっている。固定リング４０ｃの内周面に形成した雌ネジ部４１を、継手本体４０ａの他端部側外周面に形成した雄ネジ部４２に螺合すると、固定リング４０ｃにより中間リング４０ｂが立管５側に押圧される。これにより、立管５が継手本体４０ａと中間リング４０ｂとで挟持されて、継手４０が立管５に固定される。
【００２８】
継手本体４０ａの一端部には、図３に示すように、エルボ７の一端部を保持する半円状の受部４３が突設されている。受部４３は継手本体４０ａの下半分に設けられており、その内周面には凹溝４４が周方向に形成されている。この凹溝４４に上方から嵌入可能な半円状の凸状部５０がエルボ７の外周面に形成されている。エルボ７の他端部側には、逆流防止弁５１が内装されている。また、エルボ７の上部には把手５２が上向きに設けられると共に、把手５２にはチェーン５３が接続されている。チェーン５３の他端部は、前記蓋体３２の裏面に余裕をもって接続される。これにより、エルボ７を流出管６に着脱する際に、エルボ７の不用意な落下を防止できる。尚、この場合、チェーン５３に代えて、例えばネットを立管５に配するようにしてもよい。但し、このようなエルボ７の落下防止手段は、特に必要がなければ、省略しても構わない。尚、流出管６の他端部は、図１に示すように、地中に埋設された側溝６０に接続されている。
【００２９】
本実施形態に係る雨水貯留浸透システム１は以上のように構成されている。かかる雨水貯留浸透システム１に於いて、雨水は排水管２１、ます２０及び流入管４を介して、或いは地中から透水シート２及び保護ボード１１を介して貯留浸透槽３に流入する。通常、貯留浸透槽３に流入した雨水は透水シート２を介して地中に浸透することになる。
【００３０】
しかしながら、貯留浸透槽３に流入する雨水の量が一定限度を超えると、雨水は立管５の流入口３１から内部に流入することになる。更に、水位が高まると、雨水はエルボ７及び流出管６を介して側溝６０に排出される。
【００３１】
次に、貯留浸透槽３、立管５及びエルボ７等の保守点検等を行う場合について説明する。先ず、立管５の点検口３０から蓋体３２を取外す。この状態で、点検口３０からエルボ７の接続状態や立管５の内部の状態を目視により確認することができる。更に、エルボ７の逆流防止弁５１等について保守点検を行いたい場合は、その把手５２を把持しつつ上方に引き上げて、エルボ７を流出管６の継手４０から取外す。これにより、エルボ７の保守点検を簡易に且つ確実に行うことができる。また、立管５内に配されるエルボ７を取外すことにより、点検口３０からの立管５及び貯留浸透槽３の保守点検作業が容易に行えることになる。例えば、貯留浸透槽３の保守作業時には、点検口３０から吸引装置を挿入し、底部に貯まった泥や土砂等を吸引することが可能となる。
【００３２】
このようにして、本実施形態では、立管５の上端部に設けられた点検口３０により、貯留浸透槽３、立管５及びエルボ７を点検することができる。これにより、各部材の保守点検のために複数の点検口を各別に設ける必要がなくなるために、システム全体の簡略化を図れる。その結果、保守点検作業ばかりではなく、一連の施工作業が効率的に行えることになる。
【００３３】
尚、上記実施形態に於いては、逆流防止手段を、逆流防止弁５１を備えたエルボ７で構成したが、本発明はこれに限定されない。例えば、流出管６の上流側に逆流防止弁を内装するようにしてもよい。この場合も、逆流防止弁の保守点検作業は、立管５の点検口３０を介して行うことができる。
【００３４】
また、上記実施形態では、流出管６に備えさせた継手４０を介してエルボ７を着脱自在に取付けている。しかるに、エルボ７を流出管６に着脱自在に取付ける具体的な手段は決してこれに限定されない。
【００３５】
更に、上記実施形態に於ける蓋体３２は空気抜き機構３４を備えているが、これは必要に応じて設ければよいものであり、不要であれば省略することも可能である。
【００３６】
また、上記実施形態では、立管５の下端部を貯留浸透槽が設置される地面により支持させているが、必ずしもこのように構成する必要はない。
【００３７】
更に、必ずしも上記実施形態のように、立管５の流入口３１の総開口面積を、流入管４の流路断面積と同一又は大きくなるように設定する必要はない。
【００３８】
その他、立管５の配する位置や貯留浸透槽３の形状等の雨水貯留浸透システム１を構成する各部の具体的な構成も、本発明の意図する範囲内に於いて任意に設計変更自在である。
【符号の説明】
【００３９】
１    雨水貯留浸透システム
３    貯留浸透槽
４    流入管
５    立管
６    流出管
７    エルボ
３０    点検口
３１    流入口
３４    空気抜き機構
５１    逆流防止弁
【図１】
0005513021.tif 000002
【図２】
0005513021.tif 000003
【図３】
0005513021.tif 000004
【図４】
0005513021.tif 000005
【図５】
0005513021.tif 000006